(57)【特許請求の範囲】
【請求項１】
観賞魚用水槽（Ｖ）の内壁面に付着する貝類（Ｓ）を掻き取るための水槽内の貝類掻取具であって、
ハンドル（Ｈ；Ｈ′）と、このハンドル（Ｈ；Ｈ′）の先端に前後方向に揺動可能に支持される、掻取容器（Ｒ；Ｒ′）とよりなり、前記ハンドル（Ｈ；Ｈ′）に対して前記掻取容器（Ｒ；Ｒ′）は、その前壁（３；１０３）が水槽（Ｖ）の側壁内面に対面するように保持され、その掻取容器（Ｒ；Ｒ′）の前面に、掻取口（９；１０９）が開口され、その掻取口（９；１０９）の下縁には、水槽（Ｖ）の側壁内面に付着する貝類（Ｓ）を掻き取るための掻取舌片（３1 ；１０３1 ）を形成したことを特徴とする、水槽内の貝類掻取具。
【請求項２】
前記掻取容器（Ｒ；Ｒ′）には、前記掻取舌片（３1 ；１０３1 ）により掻き取った貝類（Ｓ）を受けて、これをその掻取容器（Ｒ；Ｒ′）内に導くための掻取車（１２；１１２）が回転自在に支持されることを特徴とする、前記請求項１記載の水槽内の貝類掻取具。
【発明の詳細な説明】
【０００１】
【発明の属する技術分野】
本発明は、金魚、熱帯魚、海水魚等の観賞魚用水槽の側壁面等に付着する貝類を掻き取って除去するための、水槽内の貝類掻取具に関するものである。
【０００２】
【従来の技術】
一般に水槽内で、金魚、熱帯魚等の観賞魚を飼育する場合に、水草は観賞魚のために酸素を補給したり、魚の隠れ場所や産卵場所を提供したりする外、観賞効果を高めるのに欠かせないものであるが、水草を水槽内の植え付ける前に十分な水洗いをしても、その葉や茎に付着する貝類（たとえばインドヒラマキガイ、サカマキガイ等）の卵や稚貝を完全に洗い流すことは難しく、その水草に付着したままの貝類の卵や稚貝が水槽内で孵化、繁殖し、それらが水槽の内壁面に付着して目障りとなり、水槽全体の美観を損ね、さらに水質を悪くする原因となっている。
【０００３】
そこで従来では水槽の内壁面に付着した貝類を、人手に依存して取り除くようにしているが、前記貝類は繁殖力が旺盛なため、その取り除き作業はきわめて厄介であるという問題があった。
【０００４】
【発明が解決しようとする課題】
本発明はかかる事情に鑑みてなされたもので、水槽の内壁面に付着した貝類を簡単容易に掻き取ることができ、前記問題を解決した新規な水槽内の貝類掻取具を提供することを目的とするものである。
【０００５】
【課題を解決するための手段】
前記目的達成のため、本請求項１記載の発明によれば、観賞魚用水槽の内壁面に付着する貝類を掻き取るための水槽内の貝類掻取具であって、ハンドルと、このハンドルの先端に前後方向に揺動可能に支持される、掻取容器とよりなり、前記ハンドルに対して前記掻取容器は、その前壁が水槽の側壁内面に対面するように保持され、その掻取容器の前面に、掻取口が開口され、その掻取口の下縁には、水槽の内壁に付着する貝類を掻き取るための掻取舌片を形成したことを特徴としており、この貝類掻取具のハンドルを握ってその掻取容器を水槽内に入れ、その前壁を水槽の側壁内面にあてがいつつそれを上下にスライド移動させることにより、水槽の側壁内面に付着する前記貝類を簡単、容易に掻き取ることができる。
【０００６】
また本請求項２記載の発明によれば、前記請求項１記載のものにおいて、前記掻取容器には、前記掻取舌片により掻き取った貝類を受けて、これをその掻取容器内に導くための掻取車が回転自在に支持されることを特徴としており、この掻取車は、掻取容器のスライドに伴って回転し、掻き取られた貝類を掻取容器内に確実に導く。
【０００７】
【発明の実施の形態】
以下、本発明の実施の形態を、添付図面に示した本発明の実施例に基づいて説明する。
【０００８】
先ず図１〜４を参照して本発明の第１実施例について説明するに、図１は、本発明貝類掻取具の正面図、図２は、図１の２線矢視の貝類掻取具の側面図、図３は貝類掻取具の使用状態を示す図、図４は、図３の４−４線に沿う拡大断面図である。
【０００９】
貝類掻取具は、ハンドルＨと、その先端に前後方向に揺動自在に軸支される掻取容器Ｒとより構成されている。
【００１０】
ハンドルＨは、硬質の合成樹脂材により一体成形されており、棒状の握り部１と、その先端に一体に形成される支持枠２とよりなり、この支持枠２は、下面開放のホークに形成されており、その上面中央に前記握り部１の先端が固着される。また前記支持枠２の左右先端部の内面には、前記掻取容器Ｒを揺動自在に支持するための、対をなす左右支持軸部２1 ，２1 が、同一軸線上に内向きに一体に突設されている。
【００１１】
一方前記掻取容器Ｒは、透明の硬質合成樹脂材により、前壁３、後壁４、上壁５、下壁６および左、右側壁７，８とより横方向に長い箱状に一体に形成されており、前壁３と上壁５との境界コーナ部には、左右方向に長い掻取口９が、掻取容器Ｒの全長のわたり開口されている。そして前壁３の掻取口９に臨む上縁には、貝類の掻取用の掻取舌片３1 が形成され、この掻取舌片３1 は、掻取口９の下縁を構成している。さらに前壁３の前面左右には間隔保持用の一対の突起１０が一体に突設されている。また前記左右側壁７，８の外面中央部には、対をなす左右軸受凹部７1 ，８1 が、同一軸線上に形成されている。
【００１２】
図１，２に示すように、ハンドルＨの支持枠２の、左右支持軸部２1 ，２1 を、掻取容器Ｒの左右軸受凹部７1 ，８1 に回動自在に係合することにより、貝類掻取具Ｓが組み立てられる。掻取容器Ｒは、ハンドルＨに対し前後に揺動することができ、図１，２に示すように自由状態では、その前壁３が略鉛直位置もしくは図２に鎖線で示すようにその前壁３が若干上向き状態に保たれるように、掻取容器Ｒの重心Ｇの位置が設定されており、このように掻取容器Ｒの自由状態での位置を設定することにより、この貝類掻取具を水槽Ｖ内に入れたとき、掻取容器Ｒの前壁３を、水槽Ｖのガラス壁である側壁Ｗの内面に対面させることができる。
【００１３】
次にこの第１実施例の作用を主に図３，４を参照して説明するに、いまハンドルＨを把持して掻取容器Ｒを水槽Ｖ内に水没させ、その前壁３をその水槽Ｖの側壁Ｗに対向させて、その側壁Ｗに向けて移動させると、その前壁３の左右の突起３1 ，３1 がその側壁Ｗの内面に接触し、その前壁３は僅かな間隙をおいて側壁Ｗの内面に対面される。ここでハンドルＨの上昇操作により、掻取容器Ｒを図３，４、矢印Ｕで示すように上方にスライド移動させると、側壁Ｗに付着する貝類Ｓは、前壁３の掻取舌片３1 により掻き取られて掻取容器Ｒ内に納められる。この場合掻取容器Ｒは、左右の突起１０，１０が側壁Ｗに接触しているだけなので、該掻取容器Ｒのスライド移動を円滑に行なうことができ、また掻取容器Ｒによりガラス壁を傷付けることもない。また掻取容器３は透明であるので、貝類の掻き取られる状態を外部より透視することができる。
【００１４】
次に図５〜９を参照して本発明の第２実施例について説明する。
【００１５】
図５は、貝類掻取具の正面図、図６は、図５の６線矢視の貝類掻取具の側面図、図７は、図６の７−７線に沿う拡大部分断面図、図８は、貝類掻取具の使用状態を示す図、図９は、図８の９−９線に沿う拡大断面図であり、前記第１実施例と同一要素には同一符号が付される。
【００１６】
この第２実施例は、前記第１実施例のものに、掻き取った貝類Ｓを確実に掻取容器Ｒに導くための掻取車１２をそこに付設したものであり、この掻取車１２は、図７〜９に示すように支持軸１３に掻取車本体１４を一体に固着して構成されており、この掻取車本体１４は、掻取部１４1 と、その両端の円盤状の左右外側板１４2 ，１４2 とより構成されており、前記掻取部１４1 は、図９に示すように、その外周に断面凹円弧状の複数の貝受凹部１４3 …がその周方向に間隔をあけて形成されている。
【００１７】
一方前記掻取容器Ｒの左右側壁７，８の内面には、その左右側壁７，８の前方上側コーナー部よりその中央部に向かって下向きに傾斜する、対をなす断面凹状の案内溝１５，１５が形成されており、これらの案内溝１５，１５の外端は外部に開口され、またその内端は、支持軸部２1 ，２1 の手前で行き止まりになっており、そこに掻取車１２の支持軸１３の両端を受けるための半円状の軸受部１５1 ，１５1 が形成されている。
【００１８】
対をなす案内溝１５，１５の開口外端より、それらの案内溝１５，１５に掻取車１２の支持軸１３の両端を差し込んでそれらを軸受部１５1 ，１５1 に回転自在に支持させることにより、掻取車１２を掻取容器Ｒ内に回転自在に着脱可能に支持させることができる。そして掻取車１２の外周面は図９に示すように掻取容器Ｒの前壁３および上壁４の外面よりも外部に突出していて、掻取容器１２を水槽Ｖの側壁Ｗの内面にあてがうとき、掻取車１２の掻取車本体１４の外周面すなわちその掻取部１４1 および外板１４2 ，１４2 の外周面が側壁Ｗの内面に接触しつつ回転（図９矢印ｒ方向）できるようになっている。
【００１９】
次にこの第２実施例の作用を主に図８，９を参照して説明するに、いまハンドルＨを把持して掻取容器Ｒを水槽Ｖ内に水没させ、その前壁３をその水槽Ｖの側壁Ｗに対向させて、その側壁Ｗに向けて移動させると、その前壁３の左右の突起１０，１０および掻取車１２の外周面がその側壁Ｗの内面に接触し、その前壁３が僅かな間隙をおいて側壁Ｗの内面に対面される。ここでハンドルＨの上昇操作により、掻取容器Ｒを図８，９矢印Ｕで示すように上方にスライド移動させると、掻取車１２は側壁Ｗの内面を転動して図９矢印ｒ方向に回転する。これにより側壁Ｗに付着する貝類Ｓは、前壁３の掻取舌片３1 により掻き取られたのち、掻取車１２の貝受凹部１４3 に受容されて掻取容器Ｒ内に納められる。このとき掻き取られた貝類Ｓは、一旦貝受凹部１４3 に受容されて掻取容器Ｒの外にこぼれ出ることなく、確実に掻取容器Ｒ内に導くことができる。また掻取車１２は、掻取容器Ｒに対して着脱自在であるので、それらの清掃等のメンテナンスが容易である
次に図１０〜１７を参照して本発明の第３実施例について説明する。
【００２０】
図１０は、貝類掻取具の正面図、図１１は、図１０の１１線矢視の貝類掻取具の側面図、図１２は、図１０の１２−１２線に沿う貝類掻取具の縦断側面図、図１３は、ハンドルを伸長したときの貝類掻取具の図１２と同じ縦断面図、図１４は、図１２の１４−１４線に沿う横断面図、図１５は、図１２の１５−１５線に沿う横断面図、図１６は、図１２の１６−１６線に沿う縦断面図、１７は、貝類掻取具の使用状態を示す、要部断面図、図１８は、貝類掻取具の、掻き取った貝類の排出状態を示す要部側面図であり、前記第１，２実施例と同じ要素には同じ符号が付される。
【００２１】
この第３実施例は、前記第２実施例と同じく、掻き取った貝類Ｓを確実に掻取容器Ｒ′に導くための掻取車１１２をそこに付設したものである。水槽Ｖ内の貝類掻取具は、ハンドルＨ′と、その先端に前後方向に揺動自在に軸支される掻取容器Ｒ′とより構成されている。
【００２２】
ハンドルＨ′は、硬質の合成樹脂材により形成され、棒状のアウタ１０１と、このアウタ１０１に伸縮可能に挿入される、同じく棒状のインナ１０２とより構成されている。前記アウタ１０１は、細長い中空の角筒体により構成されてその下端が開口されている。一方インナ１０２は細長い板状に形成されて、そ下端にホーク状の支持枠１０２1 が固着されている。アウタ１０１内には、その開口下端よりインナ１０２が抜差自在に挿入される。アウタ１０１の内面には、複数の係止凹部１０１1 …がその長手方向に間隔をあけて一体に形成されており、一方インナ１０２の上部には、前記複数の係止凹部１０１1 …に選択的に係合し得る係合突起１０２3 を有する弾発係合部１０２2 が一体に形成されている。ところで前記複数の係止凹部１０１1 と、係合突起１０２3 とは、クリックストップ機構を構成しており、図１２，１３に示すように、係合突起１０２3 は複数の係止凹部１０１1 …の一つに弾発係合してアウタ１０１に対してインナ１０２を伸長位置に係止することができ、図１３、矢印ａに示すように、その係止力に抗してアウタ１０１に対してインナ１０２を伸縮することにり、ハンドルＨ′の長さを調節することができる。またアウタ１０１の上端には、吊り下げ用の通孔１０１2 が開口されている。インナ１０２の下端に一体に形成される、前記支持枠１０２1 は、インナ１０２に対して側面視で前方に向けて若干湾曲しているとともに正面視で下面開放のホーク状に形成されている。また図１６に最も明瞭に示すように、支持枠１０２1 の左右先端部の内面には、前記掻取容器Ｒ′を揺動自在に支持するための、左右支持軸部１０２4 ，１０２4 が同軸上に内向きに突設されている。
【００２３】
次に前記掻取容器Ｒ′の構造について説明するに、これは、透明の合成樹脂材により形成されており、上半部Ｒ′ｕと、これに揺動可能に支持される下半部Ｒ′ｄとより構成されている。前記上半部Ｒ′ｕは、前面および下面が開放されていて縦断面アーチ状の上壁１０５、後壁１０４および、左、右側壁１０７，１０８とより構成され、その左、右側壁１０７，１０８は、後壁１０４よりも下方に略平行に延長されている。そしてこのこの上半部Ｒ′ｕの前面には掻取口１０９が開口される。一方下半部Ｒ′ｄは、上面開放のバケット状に形成されており、その下半部Ｒ′ｄの前壁１０３の、掻取口１０９に臨む上縁には、貝類Ｓの掻取用の掻取舌片１０３1 が前方に向けて上向きに傾斜して一体に突設され、この掻取舌片１０３1 は掻取口１０９の下縁を形成している。
【００２４】
図１６に明瞭に示すように、上半部Ｒ′ｕの左、右側壁１０７，１０８の下端の内壁には、対をなす短軸部１０７2 、１０８2 が一体に突設され、そこに下半部Ｒ′ｄの左、右下端の凹部ｄ，ｄが回動自在に係合支持されており、下半部Ｒ′ｄは、短軸部１０７2 ，１０８2 回りに回動して、図１７に示す閉じ位置と、図１８に示すように開放位置とをとり得るように回動できるようになっている。なお、下半部Ｒ′ｄの左、右両側は、上半部Ｒ′ｕの左、右両側壁１０７，１０８に摩擦接触しており、下半部Ｒ′ｄは、その自由状態で適宜の回動位置に摩擦保持されるようになっている。また図１６に示すように、上半部Ｒ′ｕの左、右側壁１０７、１０８の前部には、対をなす係止孔１０７3 ，１０８3 が開口され、一方下半部Ｒ′ｄの左、右上部には前記係止孔１０７3 ，１０８3 と係脱し得る突部ｐ，ｐが突設されており、それらが互いに係合して下半部Ｒ′ｄは閉じ位置に係止される。さらに上半部Ｒ′ｕの左、右側壁１０７，１０８の後部外面には、ストッパ１０７4 ，１０８4 が一体に突設され、これらのストッパ１０７4 ，１０８4 は、支持枠１０２1 の背面に係合して、掻取容器Ｒ′の前傾位置を規制するようになっている。
【００２５】
掻取容器Ｒ′の上半部Ｒ′ｕの左、右側壁１０７，１０８の中間部には、対をなす左、右軸受孔１０７1 ，１０８1 が同一軸線上に穿設されており、図１６に明瞭に示すように、ハンドルＨ′の支持枠１０２1 の、前記左、右支持軸部１０２4 ，１０２4 を掻取容器Ｒ′の左、右軸受孔１０７1 ，１０８1 に回動自在に係合することにより、ハンドルＨ′に掻取容器Ｒ′が揺動自在に支持される。
【００２６】
前記掻取容器Ｒ′の上部には、掻き取った貝類Ｓを確実にその掻取容器Ｒ′に導く掻取車１１２が回転自在に支持される。この掻取車１１２は、図１５，１６に示すように支持軸１１３に軸受１１５，１１５を介して掻取車本体１１４を回転自在に支持して構成され、この支持軸１１３の両端は、掻取容器Ｒ′の左、右両側壁１０７，１０８にブッシュ１１６，１１６を介して支持されている。前記掻取車本体１１４は、掻取部１１４1 と、その両端の円盤状の左右外側板１１４2 ，１１４2 とより構成されており、前記掻取部１１４1 は、図１７に示すように、放射状に延びる複数の翼片１１４4 …と、それらの翼片１１４4 …の間に形成れる複数の貝受凹部１１４3 …とを備える。
【００２７】
掻取車１１２を回転自在に軸支した掻取容器Ｒ′は、前述のようにハンドルＨ′下端のホーク状支持枠１０２に揺動自在に着脱自在に支承され、この状態では、掻取車１２の外周面は図１７に示すように掻取容器Ｒの前壁１０３の掻取口１０９よりも外方に突出している。掻取容器１１２を水槽Ｖの側壁Ｗの内壁面にあてがうとき、掻取車１１２の掻取車本体１１４の外周面および掻取容器Ｒ′の前壁１０３の下部が水槽Ｖの側壁Ｗに接触する。ここでハンドルＨ′を上方に移動（図１７矢印ｕ方向）させると、掻取車１１２は一方向（図９矢印ｒ方向）に回転される。
【００２８】
次にこの第３実施例の作用を主に図１７を参照して説明するに、いまハンドルＨ′を適宜の長さに調節したのち、これを把持して掻取容器Ｒ′を水槽Ｖ内に水没させ、その前壁１０３をその水槽Ｖの側壁Ｗの内面に対向させて、その側壁Ｗに向けて移動させると、その前壁１０３の前面下部および掻取車１１２の外周面がその側壁Ｗの内面に接触する。ここでハンドルＨ′の上昇操作により、掻取容器Ｒ′を図１７矢印Ｕで示すように上方にスライド移動させると、掻取車１１２は側壁Ｗの内面に接触しつつ図９矢印ｒ方向に回転する。これにより側壁Ｗに付着する貝類Ｓは、前壁１０３の上縁の掻取舌片１０３1 により掻き取られたのち、掻取車１１２の貝受凹部１１４3 に受容されて掻取容器Ｒ′内に納められる。このとき掻き取られた貝類Ｓは、一旦貝受凹部１１４3 に受容されて掻取容器Ｒ′の外にこぼれ出ることなく、確実に掻取容器Ｒ′内に導くことができる。
【００２９】
掻取容器Ｒ′内に貝類Ｓが掻き取られたら、図１８に示すように、その下半部Ｒ′ｄを反転して開放し、その貝類Ｓを容易に排出することができる。
【００３０】
また掻取車１１２は、掻取容器Ｒ′に対して着脱自在であるので、それらの清掃等のメンテナンスが容易である
以上、本発明の実施例について説明したが、本発明はその実施例に限定されることなく、本発明の範囲内で種々の実施例が可能である。
【００３１】
【発明の効果】
以上のように本請求項１記載の発明によれば、貝類掻取具は、ハンドルと、このハンドルの先端に前後方向に揺動可能に支持される、掻取容器とよりなり、そのハンドルに対して前記掻取容器は、その前壁が水槽の側壁内面に対面するように保持され、その掻取容器の前面に、掻取口が開口され、その掻取口の下縁には、水槽の側壁内壁に付着する貝類を掻き取るための掻取舌片を形成したので、この貝類掻取具のハンドルを握ってその掻取容器を水槽内に入れ、その前壁を水槽の側壁内面にあてがいつつそれを上方にスライド移動させることにより、水槽の側壁内面に付着する前記貝類を簡単、容易に掻き取ることができる。
【００３２】
また本請求項２記載の発明によれば、前記請求項１記載のものにおいて、前記掻取容器には、前記掻取舌片により掻き取った貝類を受けて、これをその掻取容器内に導くための掻取車が回転自在に支持されるので、掻き取った貝類は掻取車に導かれて確実に掻取容器内に納めることができる。
【図面の簡単な説明】
【図１】貝類掻取具の正面図
【図２】図１の２線矢視の貝類掻取具の側面図
【図３】貝類掻取具の使用状態を示す図
【図４】図３の４−４線に沿う拡大断面図
【図５】貝類掻取具の正面図（第２実施例）
【図６】図５の６線矢視の貝類掻取具の側面図
【図７】図６の７−７線に沿う拡大部分断面図
【図８】貝類掻取具の使用状態を示す図
【図９】図８の９−９線に沿う拡大断面図
【図１０】貝類掻取具の正面図（第３実施例）
【図１１】図１０の１１線矢視の貝類掻取具の側面図
【図１２】図１０の１２−１２線に沿う貝類掻取具の縦断側面図
【図１３】ハンドルを伸長したときの貝類掻取具の図１２と同じ縦断面図
【図１４】図１２の１４−１４線に沿う横断面図
【図１５】図１２の１５−１５線に沿う横断面図
【図１６】図１２の１６−１６線に沿う縦断面図
【図１７】貝類掻取具の使用状態を示す、要部断面図
【図１８】貝類掻取具の、掻き取った貝類の排出状態を示す要部側面図
【符号の説明】
３，１０３・・・・・・・・・前壁（掻取容器）
３1 ，１０３1 ・・・・・・・掻取舌片
５・・・・・・・・・・・・・上壁（掻取容器）
９，１０９・・・・・・・・・掻取口
１２，１１２・・・・・・・・掻取車
Ｈ，Ｈ′・・・・・・・・・・ハンドル
Ｒ，Ｒ′・・・・・・・・・・掻取容器
Ｓ・・・・・・・・・・・・・貝類
Ｗ・・・・・・・・・・・・・側壁（水槽）
Ｖ・・・・・・・・・・・・・水槽
【図１】
0003853929.tif 000002
【図２】
0003853929.tif 000003
【図３】
0003853929.tif 000004
【図４】
0003853929.tif 000005
【図５】
0003853929.tif 000006
【図６】
0003853929.tif 000007
【図７】
0003853929.tif 000008
【図８】
0003853929.tif 000009
【図９】
0003853929.tif 000010
【図１０】
0003853929.tif 000011
【図１１】
0003853929.tif 000012
【図１２】
0003853929.tif 000013
【図１３】
0003853929.tif 000014
【図１４】
0003853929.tif 000015
【図１５】
0003853929.tif 000016
【図１６】
0003853929.tif 000017
【図１７】
0003853929.tif 000018
【図１８】
0003853929.tif 000019